(57)【要約】【課題】宝くじは保有していても当選しているか否かは抽選結果を待って、自ら調べないと確認できないため、膨大な時効当選金が出ており、これらの要因は宝くじの取得する時と当選番号が発表される時とが数日間の間隔があるために、忘れたり見落として、膨大な金額の獲得権を放棄している実情である。【解決手段】本発明の宝くじ抽選結果通知システムは、宝くじ保有者は端末機器１で電子メールアドレスと保有宝くじの抽選番号とをデータベース３に登録すると共に、データベース３は宝くじの当選番号を登録し、当選番号と抽選番号が一致したとき一致した番号を保有する宝くじ保有者の端末機器１にネットワーク２を介して電子メールで照合結果を配信するものであり、更に、当選番号と抽選番号が一致しないときも電子メールで照合結果を配信するものである。【選択図】図１
2004038893.tif 000002
【特許請求の範囲】
【請求項１】
宝くじ保有者の端末機器とネットワークで接続されるデータベースとで構成され、前記宝くじ保有者は端末機器で電子メールアドレスと保有宝くじの抽選番号とをデータベースに登録すると共に、前記データベースは宝くじの当選番号を登録し、前記当選番号と前記抽選番号が一致したとき一致した番号を保有する宝くじ保有者の端末機器にネットワークを介して電子メールで照合結果を配信することを特徴とする宝くじ抽選結果通知システム。
【請求項２】
前記当選番号と前記抽選番号が一致しないときは一致しない番号を保有する宝くじ保有者の端末機器にネットワークを介して電子メールで照合結果を配信することを特徴とする請求項１に記載の宝くじ抽選結果通知システム。
【発明の詳細な説明】
【０００１】
【発明の属する技術分野】
本発明は宝くじ抽選結果通知システムに関するものであり、更に、詳細には、保有している宝くじの抽選番号を登録することによって、抽選番号と当選番号と一致したとき又は一致しないときも抽選結果が端末機器に電子メールで配信される宝くじの当選番号の通知システムに関するものである。
【０００２】
【従来技術】
昨今、宝くじによっては高額当選金がつき、老若男女誰でもが楽しめ、今や国民的行事に成っているものもあり、その入手の形態も様々で、グループを作って大量に購入したり、個人で定期的に購入したり、たまたま宝くじ売り場の側を通りかかり購入したり、高額当選金付のものだけを購入したり、第三者から景品として貰ったりしているものである。
【０００３】
【発明が解決しようとする課題】
然し乍ら、宝くじは保有していても当選しているか否かは抽選結果を待って、自ら調べないと確認できないのが実情であり、その為に、平成１１年度の宝くじの販売総金額９２９０億円に対して約２．６パーセントに当たる２４５億円の当選金が獲得権を放棄した時効当選金と成っていると発売元では発表している。
【０００４】
つまり、これらの要因は宝くじを定期的に購入している場合や、グループで購入している場合は、忘れたり見落としたりすることは殆ど無く、たまたま購入したり、貰ったりした宝くじに関しては保有者もさほど頓着が無く、更に、宝くじの取得する時と当選番号が発表される時とが数日間の間隔があるために、忘れたり見落としたりすることが頻繁で、前述のように膨大な金額の獲得権を放棄している実情である。
【０００５】
【課題を解決するための手段】
本発明の宝くじ抽選結果通知システムは、前述の課題を鑑みて、鋭意研鑽の結果、宝くじ保有者の端末機器とネットワークで接続されるデータベースとで構成され、宝くじ保有者は端末機器で電子メールアドレスと保有宝くじの抽選番号とをデータベースに登録すると共に、データベースは宝くじの当選番号を登録し、当選番号と抽選番号が一致したとき一致した番号を保有する宝くじ保有者の端末機器にネットワークを介して電子メールで照合結果を配信するものであり、更に、当選番号と抽選番号が一致しないときは一致しない番号を保有する宝くじ保有者の端末機器にネットワークを介して電子メールで照合結果を配信するものである。
【０００６】
【発明の作用】
本発明は、データベースに宝くじ保有者が端末機器で電子メールアドレスと保有宝くじの抽選番号とを登録することによって、データベースでは登録された抽選番号と後に発表された当選番号を登録照合して、当選番号と抽選番号が一致したとき一致した番号を保有する宝くじ保有者に電子メールで照合結果を配信するものであり、時効まで１年間ある当選金引き替え期間に当選金を確実に手にできるもので、時効当選金の放棄を激減させると共に、少額当選金の場合は当選金に一部金額を充当して更に宝くじを買う傾向にあり、売上の増加に繋がるものである。
【０００７】
本発明の目的は、忘れがちの宝くじの抽選結果を確実に電子メールによって知ることができ、時効当選金の激減を図ると共に、売上の増加にも繋がる宝くじ抽選結果通知システムを提供するものである。
【０００８】
【発明の実施の形態】
次いで、本発明の宝くじ抽選結果通知システムの実施の形態を図面によって詳述する。
【０００９】
図１は本発明の宝くじ抽選結果通知システムの実施の形態の概略を説明するための説明図である。
【００１０】
本発明は宝くじ抽選結果通知システムに関するものであり、更に、詳細には、保有している宝くじの抽選番号を登録することによって、抽選番号と当選番号と一致したとき端末機器に電子メールで配信される宝くじの抽選結果の通知システムに関するものであり、請求項１に記載の宝くじ抽選結果通知システムは、宝くじ保有者の端末機器１とネットワーク２で接続されるデータベース３とで構成され、前記宝くじ保有者は端末機器１で電子メールアドレスと保有宝くじの抽選番号とをデータベース３に登録すると共に、前記データベース３は宝くじの当選番号を登録し、前記当選番号と前記抽選番号が一致したとき一致した番号を保有する宝くじ保有者の端末機器１にネットワーク２を介して電子メールで抽選結果を配信するものである。
【００１１】
更に、請求項２に記載の宝くじ抽選結果通知システムは、請求項１に記載の宝くじ抽選結果通知システムにおいて、前記当選番号と前記抽選番号が一致しないときは一致しない番号を保有する宝くじ保有者の端末機器１にネットワーク２を介して電子メールで抽選結果を配信するものである。
【００１２】
即ち、本発明の宝くじ抽選結果通知システムの宝くじ保有者の端末機器１とは、パーソナルコンピュータ、携帯電話等の電子メールの送受信ができる機器なら構わないものである。
【００１３】
そして、ネットワーク２とは通信キャリアの提供をするパケット網で、有線及び無線の電話回線であり、前記端末機器１と後述するデータベース３とを接続しているものである。
【００１４】
次に、データベース３は保有者登録手段、当選番号入力手段、当選番号登録手段、番号照合手段、配信手段等を備えているものである。
【００１５】
先ず、宝くじ保有者は端末機器１から保有者の電子メールアドレスと、保有する宝くじの抽選番号とをデータベース３に登録するものであり、データベース３には保有者登録手段を備えており、端末機器１でネットワーク２を介してデータベース３にアクセスすると保有者登録手段に登録するための画像が表れ、画像に沿って少なくとも電子メールアドレスと保有する宝くじの抽選番号とを入力して送信することでデータベース３の保有者登録手段に登録されるものである。
【００１６】
次いで、データベース３では宝くじの当選番号の発表があったとき、その都度、当選番号を当選番号入力手段によって入力して当選番号登録手段に登録するものである。
【００１７】
更に、データベース３では保有者登録手段に登録された登録情報と当選番号登録手段に登録された登録情報を番号照合手段によって照合するものであり、つまり、当選と発表された当選番号と保有者が電子メールアドレスと共に登録した宝くじの抽選番号とを照合するものである。
【００１８】
そして、番号照合手段によって照合された当選番号と抽選番号が一致したとき一致した番号を保有する宝くじ保有者の端末機器１にネットワーク２を介して電子メールで配信するものであり、配信はデータベース３に備えた配信手段によって配信するものである。
【００１９】
更には、データベース３の配信手段により、当選番号と抽選番号が一致しないときは一致しない番号を保有する宝くじ保有者の端末機器１にネットワーク２を介して電子メールで抽選結果を配信するものであり、つまり、宝くじの保有者が保有する宝くじの抽選番号に当選番号が含まれていない場合は当選していないことを電子メールで配信するものである。
【００２０】
本発明の宝くじ抽選結果通知システムは、宝くじを購入した時に購入者が所持する携帯電話を端末機器１として電子メールアドレスと購入した宝くじの抽選番号とを登録することも、宝くじを販売した販売者が備え付けの端末機器１を操作して購入者の電子メールアドレスと宝くじの抽選番号とを登録することも、購入者が自宅に持ち帰り備え付けのパーソナルコンピュータから登録することも可能なものである。
【００２１】
更に、本発明では当選番号と抽選番号が一致しない場合、つまり、当たりくじが無い場合でも、外れた旨を宝くじ保有者に照合結果として配信するものである。
【００２２】
【発明の効果】
本発明の宝くじ抽選結果通知システムは、データベースに宝くじ保有者が又は販売者が端末機器で保有者の電子メールアドレスと保有宝くじの抽選番号とを登録することによって、データベースでは登録された抽選番号と後に発表される当選番号を登録照合して、当選番号と抽選番号が一致したとき一致した番号を保有する宝くじ保有者に電子メールで照合結果を配信するものであり、通常電子メールは少なくとも１週間に１度くらいは開いて確認することから、時効まで１年間ある当選金引き替え期間に当選金を確実に手にできるもので、時効当選金の放棄を激減させると共に、再度当選金を受け取りに宝くじ売り場に出向くことから売上の増加に繋がる画期的な発明である。
【図面の簡単な説明】
【図１】図１は本発明の宝くじ抽選結果通知システムの実施の形態の概略を説明するための説明図である。
【符号の説明】
１　　　端末機器
２　　　ネットワーク
３　　　データペース
【図１】
2004038893.tif 000003